(57)【要約】【課題】密閉形電動圧縮機の保護装置において、逆転防止機能を有しつつ、いずれの電源ラインに欠相が生じても単相拘束通電による運転を１回限りとすると共に、冷媒漏れ等に対して保護して、高信頼性、高安全性にする。【解決手段】一方の過負荷保護装置２Ｒの中性点端子２Ｎに操作コイル１Ｌの一側を接続すると共に、他方の過負荷保護装置２Ｔと電磁接触装置１の接点１Ｔとの間に操作コイル１Ｌの他側を逆転防止装置５の接点５Ａおよびサーモスイッチ部２１の接点を介して接続する。また、一方の過負荷保護装置１２Ｒと電磁接触装置１の接点１Ｓとの間に逆転防止装置５の抵抗器５Ｒを接続すると共に、他方の過負荷保護装置２Ｔの中性点端子２Ｎに逆転防止装置５の継電器コイル５Ｌを接続する。【選択図】　図１
2004032846.tif 000002
【特許請求の範囲】
【請求項１】
三相誘導電動機を用いた密閉形電動圧縮機と、前記三相誘導電動機の三相電源の全ラインに接点を接続した電磁接触装置と、この接点より電源側の二つの電源ラインに接続したバイメタル式過負荷保護装置と、抵抗器、コンデンサ及び継電器コイルを前記各電源ライン間にスター結線で接続した逆転防止装置とを備え、前記過負荷保護装置を接続した電源ライン間に電磁接触装置の操作コイルを前記継電器コイルの接点を介して接続すると共に、
前記過負荷保護装置の一方を接続した電源ラインに前記抵抗器を接続し、
前記過負荷保護装置の他方を接続した電源ラインに前記継電器コイルを接続し、
残りの前記電源ラインに前記コンデンサを接続した密閉形電動圧縮機の保護装置において、
前記一方の過負荷保護装置の中性点端子に前記操作コイルの一側を接続すると共に、前記他方の過負荷保護装置と前記電磁接触装置の接点との間に前記操作コイルの他側を接続し、
前記一方の過負荷保護装置と前記電磁接触装置の接点との間に前記抵抗器を接続すると共に、前記他方の過負荷保護装置の中性点端子を含む電源側に前記継電器コイルを接続し、
前記他方の過負荷保護装置に前記密閉形電動圧縮機の温度を検出するサーモスイッチ部を備えると共に、このサーモスイッチ部の接点を前記操作コイルと直列に接続した
ことを特徴とする密閉形電動圧縮機の保護装置。
【請求項２】
請求項１において、前記他方の過負荷保護装置の中性点端子に前記継電器コイルを接続したことを特徴とする密閉形電動圧縮機の保護装置。
【請求項３】
請求項１または２において、前記一方の過負荷保護装置はサーモスイッチ部を備えずに前記密閉形電動圧縮機の外郭以外の場所に配置し、前記他方の過負荷保護装置はサーモスイッチ部を備えて前記密閉形電動圧縮機の外殻に取り付けたことを特徴とする密閉形電動圧縮機の保護装置。
【請求項４】
請求項１から３の何れかにおいて、前記バイメタル式接点を有するプロテクタ部と、温度を検出して開閉するサーモ接点を有するサーモスイッチ部と、を上下に並置して筒状ケース内に収納し、前記逆転防止装置に接続するための前記バイメタル式接点の中性点端子板を前記筒状ケースの上面中央部に設け、前記バイメタル式接点の固定接点を前記電源ラインに接続するための一対の固定端子と、前記操作コイルに接続するための前記サーモ接点のサーモ端子と、前記プロテクタ部とサーモスイッチ部との中間接続部を前記電源ラインに接続するための中間接続端子と、を前記筒状ケースの上面周縁部に円形に配置したことを特徴とする密閉形電動圧縮機の保護装置。
【請求項５】
密閉形電動圧縮機に収納した三相誘導電動機の三相電源の全ラインに接点を接続する電磁接触装置と、この接点より電源側の二つの電源ラインに接続するバイメタル式過負荷保護装置と、抵抗器、コンデンサ及び継電器コイルを前記各電源ライン間にスター結線で接続する逆転防止装置とを備え、
前記過負荷保護装置を接続した電源ライン間に電磁接触装置の操作コイルを前記継電器コイルの接点を介して接続すると共に、
前記過負荷保護装置の一方を接続した電源ラインに前記抵抗器を接続し、
前記過負荷保護装置の他方を接続した電源ラインに前記継電器コイルを接続し、
残りの前記電源ラインに前記コンデンサを接続した密閉形電動圧縮機用保護装置において、
前記一方の過負荷保護装置の中性点端子に前記操作コイルの一側を接続すると共に、前記他方の過負荷保護装置と前記電磁接触装置の接点との間に前記操作コイルの他側を接続し、
前記他方の過負荷保護装置の中性点端子を含む電源側に前記継電器コイルを接続すると共に、前記一方の過負荷保護装置と前記電磁接触装置の接点との間に前記抵抗器を接続し、
前記他方の過負荷保護装置にサーモスイッチ部を備えると共に、このサーモスイッチ部の接点を前記操作コイルと直列に接続する
ことを特徴とする密閉形電動圧縮機用保護装置。
【請求項６】
三相誘導電動機の電源ラインの主接点を開閉する電磁接触装置の操作コイルが接続されると共に、前記三相誘導電動機の回転方向を一定に制御する逆転防止装置が接続されるものであって、前記電源ラインに接続されるバイメタル式接点を有する密閉形電動圧縮機用過負荷保護装置において、
前記バイメタル式接点を有するプロテクタ部と、温度を検出して開閉するサーモ接点を有するサーモスイッチ部と、を上下に並置して筒状ケース内に収納し、前記逆転防止装置に接続するための前記バイメタル式接点の中性点端子板を前記筒状ケースの上面中央部に設け、
前記バイメタル式接点の固定接点を前記電源ラインに接続するための一対の固定端子と、前記操作コイルに接続するための前記サーモ接点のサーモ端子と、前記プロテクタ部とサーモスイッチ部との中間接続部を前記電源ラインに接続するための中間接続端子と、を前記筒状ケースの上面周縁部に円形に配置した
ことを特徴とする密閉形電動圧縮機用過負荷保護装置。
【発明の詳細な説明】
【０００１】
【発明の属する技術分野】
本発明は、密閉形電動圧縮機の保護装置に係り、特に空気調和機や電気冷蔵庫等の冷凍装置に使用される三相誘導電動機を備えた密閉形電動圧縮機の保護装置に好適なものである。
【０００２】
【従来の技術】
従来技術１の密閉形電動圧縮機の保護装置としては、図１４に示すように、三相誘導電動機３を用いた密閉形電動圧縮機と、三相誘導電動機３の三相電源の全ラインＲ、Ｓ、Ｔに主接点１Ｒ、１Ｓ、１Ｔを接続した電磁接触装置１と、この接点１Ｒ、１Ｔより電源側の二つの電源ラインＲ、Ｔに接続した過負荷保護装置２Ｒ、２Ｔと、抵抗器５Ｒ、コンデンサ５Ｃ及び継電器コイル５Ｌを各電源ラインＲ、Ｓ、Ｔ間にスター結線で接続した逆転防止装置５とを備えるものがある。
【０００３】
そして、電磁接触装置１の操作コイル１Ｌは、過負荷保護装置２Ｒ、２Ｔを接続した電源ラインＲ、Ｔ間に、開閉装置４及び継電器コイル５Ｌの接点５Ａを直列に介して接続されている。そして、操作コイル１Ｌの一側は一方の過負荷保護装置２Ｒの中性点端子２Ｎに接続されると共に、操作コイル１Ｌの他側は他方の過負荷保護装置２Ｔのモータ側の電源ラインＴに接続されている。
【０００４】
逆転防止装置５の電源ラインＲ、Ｓ、Ｔへの接続を具体的に説明する。抵抗器５Ｒは一方の過負荷保護装置２Ｒより電源側の電源ラインＲに接続されている。継電器コイル５Ｌは他方の過負荷保護装置２Ｔより電源側の電源ラインＴに接続されている。コンデンサ５Ｃは残りの電源ラインＳに接続されている。
【０００５】
過負荷保護装置２Ｒ、２Ｔは、バイメタル２Ｂを有するプロテクタ部を備えて構成されている。過負荷保護装置２Ｒ、２Ｔのバイメタル２Ｂは、それぞれの電源ラインＲ、Ｔを開閉するように設けられている。
【０００６】
一方、従来技術２の密閉形電動圧縮機の保護装置としては、特開平７−２６２８９５号公報に開示されたものがある。この従来技術２を図１２に示し、図１２を参照しながら説明する。ただし、図１２中の符号は従来技術１と同一物または相当物には同一符号を付してある。
【０００７】
この従来技術２の密閉形電動圧縮機の保護装置は、三相誘導電動機３と、その三相電源の全ラインＲ、Ｓ、Ｔに主接点１Ｒ、１Ｓ、１Ｔを接続した電磁接触装置１と、この接点１Ｒ、１Ｔより電源側の二つの電源ラインＲ、Ｔに接続した過負荷保護装置２Ｒ、２Ｔと、過負荷保護継電器２Ｒ、２Ｔの電動機側の電源ラインＲ、Ｔと電源ラインＳとの間に接続した抵抗器２Ｈ及びサーモ接点２１Ｓとを備えて構成されている。
【０００８】
そして、電磁接触装置１の操作コイル１Ｌは、過負荷保護装置２Ｒ、２Ｔを接続した電源ラインＲ、Ｔ間に、継電器コイル５Ｌの接点５Ａを直列に介して接続されている。そして、操作コイル１Ｌの一側は一方の過負荷保護装置２Ｒの中性点端子２Ｎに接続されると共に、操作コイル１Ｌの他側は他方の過負荷保護装置２Ｔの中性点端子２Ｎに接続されている。
【０００９】
過負荷保護装置２Ｒ、２Ｔは、バイメタル２Ｂ及びヒータとなる抵抗器２Ｈを有するプロテクタ部と、接点２１Ｓを有するサーモスイッチ部とを備えて構成されている。過負荷保護装置２Ｒ、２Ｔのバイメタル２Ｂは、それぞれの電源ラインＲ、Ｔを開閉するように設けられている。過負荷保護装置２Ｒ、２Ｔの抵抗器２Ｈは、一側がプロテクタ部の固定接点２Ｄの電動機側に接続されると共に、他側がサーモスタット部の接点２１Ｓを介して電源ラインＳに接続されている。サーモスタット部の接点２１Ｓは、常温で開路状態となるように設定されている。
【００１０】
そして、一対の過負荷保護継電器２Ｒ、２Ｔは、密閉形電動圧縮機の外殻の上面に熱的に接続されて並置されている。密閉形電動圧縮機の外殻温度が上昇すれば、いずれか一方の過負荷保護継電器２Ｒまたは２Ｔの動作温度の低いサーモスタット部の接点２１Ｓが閉路動作する。これによって、抵抗器２Ｈが通電されて発熱し、この発熱によってバイメタル２Ｂが加熱されて反転動作温度に達すると、過負荷保護装置のいずれか一方２Ｒまたは２Ｔが開路動作するように構成されている。
【００１１】
【発明が解決しようとする課題】
しかしながら、従来技術１では、過負荷保護装置２Ｒ、２Ｔが接続されていない電源ラインＳが途中欠相した場合に、過負荷保護装置２Ｒまたは２Ｔの開閉により三相誘導電動機３のＲ−Ｔ相単相通電運転とその停止が繰り返しされ、過負荷保護装置２Ｒまたは２Ｔの寿命が短くなってしまうという課題がある。
【００１２】
この点を具体的に説明する。三相誘導電動機３が通常運転中にＳ相の電源側が途中欠相すると、Ｒ相−抵抗器５Ｒ−継電器コイル５Ｌ−Ｔ相の回路の通電が継続されて継電器コイル５Ｌによる接点５Ａの閉路動作が継続されるので、Ｒ相−過負荷保護装置２Ｒ−開閉装置４−操作コイル１Ｌ−接点５Ａ−過負荷保護装置２Ｔ−Ｔ相の回路の通電が継続される。これによって、操作コイル１Ｌによる主接点１Ｒ、１Ｓ、１Ｔの閉路動作が継続され、三相誘導電動機３はＲ−Ｔ単相通電で回転運動が継続される。この状態で、過負荷保護装置２Ｒまたは２Ｔのバイメタル２Ｂが開路動作すると、三相誘導電動機３の巻線３Ｒまたは３Ｔの電路が遮断されることになり、三相誘導電動機３の回転運動が停止する。その後、過負荷保護装置２Ｒまたは２Ｔのバイメタル２Ｂが復帰して閉路動作すると、操作コイル１Ｌへの通電が復帰され主接点１Ｒ、１Ｓ、１Ｔが閉路することにより、三相誘導電動機３がＲ−Ｔ単相通電で運転が再開される。以下、過負荷保護装置２Ｒまたは２Ｔのバイメタル２Ｂの開閉動作により、三相誘導電動機３のＲ−Ｔ単相運転及び停止が繰り返されてしまうものである。
【００１３】
更に、従来技術１では、密閉形電動圧縮機を冷凍サイクルに用いた場合に、その冷凍サイクルから冷媒が漏れると、冷媒による三相誘導電動機３の冷却効果が減少して電動機巻線３Ｒ、３Ｓ、３Ｔの温度が上昇する。しかし、冷媒が漏れると、密閉形電動圧縮機を駆動する三相誘導電動機３の負荷が軽くなって電源ライン電流が減少するために、過負荷保護継電器２Ｒ、２Ｔが動作せず、電動機巻線３Ｒ、３Ｓ、３Ｔの温度上昇を防止することができないという課題がある。
【００１４】
一方、従来技術２では、逆転防止装置を備えていないため、密閉形電動圧縮機を駆動する三相誘導電動機３を何等位相制御することなく電源に接続すると、その時の位相の関係で左回転となったり右回転となったりして所定の回転方向に制御できないという課題がある。即ち、密閉形電動圧縮機にはレシプロ方式、スクロール方式、スクリュー方式等の種々の形態があり、その回転方向に関係なく冷媒の圧縮が可能な方式はレシプロ方式のみで他の方式は全て圧縮不能になる。なお、レシプロ方式でも、圧縮機の給油構造が左右両方回転の耐えるものが必要となる。
【００１５】
また、従来技術２では、バイメタル２Ｂの閉路動作温度がサーモスイッチ部の接点２１Ｓの開路動作温度より高くなるように設定した場合に、これらの周囲温度が下がってくると、バイメタル２Ｂが先に閉路動作し、サーモスイッチ部の接点２１Ｓが遅れて開路動作することになる。従って、過負荷保護装置２Ｒまたは２Ｔのバイメタル２Ｂが閉路動作した時に三相誘導電動機３が始動して運転するが、サーモスイッチ部の接点２１Ｓが閉路動作状態にあるため、抵抗器２Ｈが即発熱して、再度バイメタル２Ｂを開路動作させ三相誘導電動機３の運転を停止するように作用し、以下、これを繰り返してしまう。このため、従来技術２では、バイメタル２Ｂの閉路動作温度よりサーモスイッチ部の接点２１Ｓの開路動作温度の方が高くなるように設定することが不可欠となる。その結果、サーモスイッチ部の接点２１Ｓの反転復帰温度のバラツキ最小値がバイメタル２Ｂの反転復帰温度のバラツキ最大値より高い温度にしなければならず、その管理のためにコスト高になるという課題がある。
【００１６】
更に、従来技術２では、一対の過負荷保護装置２Ｒ、２Ｔの両方にサーモスイッチ部を備えているため、高コストになってしまうと共に、そのための電気的接続も面倒となるという課題がある。即ち、一方の過負荷保護装置２Ｒまたは２Ｔにサーモスイッチ部が備えられていれば、密閉形電動圧縮機の外殻に並置されている場合でも十分な保護機能を奏するはずであり、過負荷保護装置の一方２Ｒまたは２Ｔを電気品室等に取り付けられている場合には、そのサーモスイッチ部は機能せず無駄になってしまうものである。
【００１７】
本発明の目的は、逆転防止機能を有しつつ、いずれの電源ラインに欠相が生じても単相拘束通電による運転を１回限りとすることができると共に、冷媒漏れ等に対して保護することができ、高信頼性、高安全性の保護装置を提供することにある。
【００１８】
【課題を解決するための手段】
前記目的を達成するために、本発明は、三相誘導電動機を用いた密閉形電動圧縮機と、前記三相誘導電動機の三相電源の全ラインに接点を接続した電磁接触装置と、この接点より電源側の二つの電源ラインに接続したバイメタル式過負荷保護装置と、抵抗器、コンデンサ及び継電器コイルを前記各電源ライン間にスター結線で接続した逆転防止装置とを備え、前記過負荷保護装置を接続した電源ライン間に電磁接触装置の操作コイルを前記継電器コイルの接点を介して接続すると共に、前記過負荷保護装置の一方を接続した電源ラインに前記抵抗器を接続し、前記過負荷保護装置の他方を接続した電源ラインに前記継電器コイルを接続し、残りの前記電源ラインに前記コンデンサを接続した密閉形電動圧縮機の保護装置において、前記一方の過負荷保護装置の中性点端子に前記操作コイルの一側を接続すると共に、前記他方の過負荷保護装置と前記電磁接触装置の接点との間に前記操作コイルの他側を接続し、前記一方の過負荷保護装置と前記電磁接触装置の接点との間に前記抵抗器を接続すると共に、前記他方の過負荷保護装置の中性点端子を含む電源側に前記継電器コイルを接続し、前記他方の過負荷保護装置に前記密閉形電動圧縮機の温度を検出するサーモスイッチ部を備えると共に、このサーモスイッチ部の接点を前記操作コイルと直列に接続したことにある。
【００１９】
【発明の実施の形態】
以下、本発明の複数の実施例を図を用いて説明する。なお、各実施例の図における同一符号は同一物または相当物を示す。
【００２０】
まず、本発明の第１実施例を図１から図１２を用いて説明する。
【００２１】
本実施例の密閉形電動圧縮機を用いた冷凍装置の全体構成、機能及び動作を図２及び図３を参照しながら説明する。本実施例の冷凍装置は、冷凍サイクル及び送風装置１１などで構成され、空気調和機や冷蔵庫などに適用される。
【００２２】
冷凍サイクルは、密閉形電動圧縮機６、凝縮器８、減圧装置１０及び蒸発器９を冷媒配管で順次接続して形成されている。また、送風装置１１は、単相誘導電動機１２、この単相誘導電動機１２により回転されるファン１３、ファン１４を備えている。この冷凍サイクル中を冷媒が循環され、この冷媒が送風装置１１により送られる空気と凝縮器８及び蒸発器９で熱交換することにより、冷却機能が発揮される。
【００２３】
即ち、冷凍サイクル中で、冷媒は、密閉形電動圧縮機６で圧縮されて高温高圧になり、凝縮器８でファン１３により通風される空気と熱交換して凝縮し、減圧装置１０で減圧されて低圧となり、蒸発器９でファン１４により通風される空気と熱交換して蒸発し、密閉形電動圧縮機６に戻ることにより、冷却機能が発揮される。減圧装置１０はキャピラリチューブや膨張弁等で形成される。
【００２４】
また、密閉形電動圧縮機６の外殻には、図３（ａ）に示すように一対の過負荷保護装置２Ｒ、２Ｔが設置されている。この過負荷保護装置２Ｒ、２Ｔは、密閉形電動圧縮機６の外殻の温度上昇と運転電流の増加の両者を感知して動作する。
【００２５】
なお、密閉形電動圧縮機６に過負荷保護装置２Ｒ、２Ｔの両方を収納するスペースがない場合には、図３（ｂ）に示すように、一方の過負荷保護装置２Ｔのみが密閉形電動圧縮機６に取り付けられ、他方の過負荷保護装置２Ｒが密閉形電動圧縮機６から離れた所、例えば電気品室等に取り付けられるようにしてもよい。この場合では、過負荷保護装置２Ｔは温度と電流の両者を感知し、過負荷保護装置２Ｒは電流を感知して開路動作をすることになる。
【００２６】
過負荷保護装置２Ｔの構造を図４から図６を参照しながら説明する。
【００２７】
過負荷保護装置２Ｔは、プロテクタ部２０とサーモスイッチ部２１とを上下に配置して構成されている。過負荷保護装置２Ｔは、下面を開口した絶縁性を有する筒状ケース２Ｆと、熱伝導が良好な絶縁性を有する蓋体２Ｇとを組み合わせて構成され、密閉された内部空間が形成されている。
【００２８】
プロテクタ部２０は、固定接点２Ｄと可動接点２Ｃとを内蔵して構成されている。即ち、一対の固定接点２Ｄは、筒状ケース２Ｆの底部（図６で上部）に植設された固定端子２Ｉの内部空間側に設けられている。一対の可動接点２Ｃは、一対の固定接点２Ｄに対向接離するように皿状のバイメタル２Ｂの上面に設けられている。
【００２９】
調整ねじ２Ｊは、可動接点２Ｃの中央部を下方から貫通し、さらに筒状ケース２Ｆの底部を貫通して外部に突出して設けられている。コイルバネ２Ｋは、調整ねじ２Ｊに巻かれ、バイメタル２Ｂを調整ねじ２Ｊの頭部に押し当てるように設けられている。調整ねじ２Ｊが貫通する筒状ケース２Ｆの底部は、固定端子２Ｉの上端より上方に高く形成されている。Ｌ字形の中性点端子２Ｎは、調整ねじ２Ｊの外部突出部にナット２Ｌで固定されている。
【００３０】
外部接続端子２Ｍは、プロテクタ部２０とサーモスイッチ部２１の接続点にプロジェクション溶接等により設けられ、筒状ケース２Ｆの上面から上方に延びて設けられている。
【００３１】
接点２１Ｓに接離するサーモ端子２Ｅは、外部接続端子２Ｍの反対側に位置して筒状ケース２Ｆの上面から上方に延びて設けられている。
【００３２】
二つの固定端子２Ｉ、外部接続端子２Ｍ及びサーモ端子２Ｅが筒状ケース２Ｆの上面外縁部に円形に配置されており、中性点端子２Ｎがその中央の突出底部に配置されている。これによって、各端子間の絶縁距離を確保することができ、信頼性の高いものとすることができる。
【００３３】
上述した密閉形電動圧縮機６の保護装置の回路構成を図１を参照しながら説明する。
【００３４】
三相誘導電動機３は、密閉形電動圧縮機６の外殻内に収納され、圧縮機構部を動作させるためのものである。三相誘導電動機３は、三相電源の各相のラインＲ、Ｓ、Ｔにスター結線された電動機巻線３Ｒ、３Ｓ、３Ｔを有している。
【００３５】
全電源ラインＲ、Ｓ、Ｔの密閉形電動圧縮機６の外部に位置する部分には、電磁接触装置１の主接点１Ｒ、１Ｓ、１Ｔが接続されている。電磁接触装置１は操作コイル１Ｌと主接点１Ｒ、１Ｓ、１Ｔとから構成され、操作コイル１Ｌに所定電圧が通電された場合に主接点１Ｒ、１Ｓ、１Ｔが閉路される。
【００３６】
二つの電源ライン（図示例では電源ラインＲ、Ｔ）における接点１Ｒ、１Ｔより電源側には、過負荷保護装置２Ｒ、２Ｔが接続されている。この過負荷保護装置２Ｒは、バイメタル２Ｂ、可動接点２Ｃ及び中性点端子２Ｎを有するプロテクタ部２０を備えている。また、過負荷保護装置２Ｔは、バイメタル２Ｂ、可動接点２Ｃ、固定接点２Ｄ及び中性点端子２Ｎを有するプロテクタ部２０と、接点２１Ｓを有するサーモスイッチ部２１とを備えている。なお、過負荷保護装置２Ｒはサーモスイッチ部を備えていない。バイメタル２Ｂは流れる電流による自己発熱及び周囲温度を感知して可動し、可動接点２Ｃが固定接点２Ｄと接離して電源ラインＲ、Ｔを開閉する。
【００３７】
過負荷保護装置２Ｔは、プロテクタ部２０とサーモスイッチ部２１とが直列に接続され、且つプロテクタ部２０とサーモスイッチ部２１が上下に配置されている。プロテクタ部２０とサーモスイッチ部２１の接続点には外部接続端子２Ｍが設けられ、これに電磁接触装置１の接点１Ｔが接続されると共に、サーモスイッチ部２１に逆転防止装置５の接点５Ａと電磁接触装置１の操作コイル１Ｌとの直列回路が直列に接続されている。
【００３８】
操作コイル１Ｌは、過負荷保護装置２Ｒの中性点端子２Ｎと、過負荷保護装置２Ｔの電動機側で且つ接点１Ｔの電源側（過負荷保護装置２Ｔと接点１Ｔとの間）の電源ラインＲとの間に、開閉装置４、接点５Ａ及び接点２１Ｓを直列に介して接続されている。
【００３９】
開閉装置４は三相誘導電動機３を始動するためのものであり、手動スイッチや温度調節器等で構成され、過負荷保護装置２Ｒの中性点端子２Ｎと操作コイル１Ｌとの間に接続されている。接点５Ａは三相誘導電動機３を保護するためのものであり、電源ラインＴと操作コイル１Ｌとの間に接続されている。また、接点５Ａは継電器コイル５Ｌと共に電磁継電器５Ｙを構成し、継電器コイル５Ｌに所定電圧が通電された場合に閉路される。さらに、接点２１Ｓは、三相誘導電動機３を保護するためのものであり、操作コイル１Ｌと直列に接続されている。具体的には、接点２１ｓは、接点５Ａと電源ラインＴの過負荷保護装置２Ｔの三相誘導電動機側との間に接続されている。
【００４０】
逆転防止装置５は、継電器コイル５Ｌ、コンデンサ５Ｃ及び抵抗器５Ｒがスター結線され、各電源ラインＲ、Ｓ、Ｔに接続されて構成されている。継電器コイル５Ｌは、一側が過負荷保護装置２Ｔの中性点端子２Ｎに接続され、他側がコンデンサ５Ｃを直列に介して電源ラインＳに接続されると共に、抵抗器５Ｒを直列に介して過負荷保護装置２Ｒの電動機側で且つ接点１Ｒの電源側（過負荷保護装置２Ｒと接点１Ｒの間）の電源ラインＲに接続されている。
【００４１】
次に密閉形電動圧縮機６の逆転防止装置５の動作について説明する。
【００４２】
密閉形電動圧縮機６には種々の形態があり、例えばレシプロ方式、ロータリ方式、スクロール方式、スクリュー方式等がある。これを駆動する三相誘導電動機３を位相制御することなく電源に接続すると、接続された時の位相が正相か逆相かで左回転になったり右回転になったりする。
【００４３】
回転方向に関係なく冷媒の圧縮が可能な方式はレシプロ方式のみで、他の方式は全て圧縮不能になる。又、レシプロ方式の場合でも、圧縮機の給油構造が左右回転に耐えるものでないと、三相誘導電動機３が使用出来ないという問題がある。そこで、三相誘導電動機３の回転方向を一定方向に保持するため逆転防止装置５が用いられている。この逆転防止装置５は正相時に接点５Ａが閉じ、逆相時にその接点５Ａが閉じないように構成し、正相時になった時に三相誘導電動機３が正回転で始動されるようになっている。
【００４４】
ここで、逆転防止装置５の動作原理について図４及び図５を参照しながら説明する。
【００４５】
三相電源は各相間の位相が互いに２π／３ラジアンずつ異なる対称交流である。このずれを電気の三要素である抵抗器５Ｒ、コンデンサ５Ｃ、継電器コイル５Ｌから構成される位相回路の性質（即ち、抵抗器５Ｒは電圧に対して電流の遅れ進みに無関係、コンデンサ５Ｃは電圧に対して電流が進む、継電器コイル５Ｌは電圧に対して電流が遅れる性質）を利用し、夫々の抵抗器５Ｒ、コンデンサ５Ｃ、継電器コイル５Ｌを上述したように各相間に接続し、継電器コイル５Ｌに流れる電流の大小で逆転防止装置５の接点５Ａを動作せしめる構成になっている。
【００４６】
正相時の電圧と継電器コイル５Ｌに流れる電流とをベクトルで表すと図４（ａ）〜（ｄ）のようになる。図４（ａ）は正相時の電圧位相を示し、ＶＲは抵抗器５Ｒ、ＶＣはコンデンサ５Ｃ、ＶＴは継電器コイル５Ｌの電圧位相である。図４（ｂ）は正相時の電流位相を示し、ＩＲは抵抗器５Ｒ、ＩＣはコンデンサ５Ｃ、ＩＬは継電器コイル５Ｌの電流位相である。図４（ｃ）はＩＲとＩＣの合成電流ＩＲＣ、ＩＲとＩＬの合成電流ＩＲＬを示す。図４（ｄ）はＩＲＣとＩＲＬの合成電流ＩＲＣＬを示す。この図４から明らかなように、正相時には継電器コイル５Ｌには大きな電流が流れるため、電磁継電器５Ｙが付勢されて接点５Ａが閉じる。
【００４７】
逆相時の電圧と継電器コイル５Ｌに流れる電流とをベクトルで表すと図５（ａ）〜（ｃ）のようになる。図５（ａ）は逆相時の電圧位相を示し、ＶＲは抵抗器５Ｒ、ＶＣはコンデンサ５Ｃ、ＶＴは継電器コイル５Ｌを接続した電圧位相である。図５（ｂ）は逆相時の電流位相を示し、ＩＲは抵抗器５Ｒ、ＩＣはコンデンサ５Ｃ、ＩＬは継電器コイル５Ｌの電流位相である。図５（ｃ）はＩＣとＩＬの合成電流ＩＬＣを示す。この図５から明らかなように、逆相時には継電器コイル５Ｌに流れる電流はＩＬＣとＩＲが互いに逆方向の関係になることから互いにキャンセルされ、ごくわずかの励磁電流のみが流れるため、電磁継電器５Ｙが動作せず、結果として逆転防止装置５の接点５Ａは閉じることが出来ず開いたままになる。そして、電圧位相が正相に変わると、上述したように正回転で運転が開始される。
【００４８】
次に密閉形電動圧縮機６の保護装置の基本的な動作を図１を参照しながら説明する。
【００４９】
開閉装置４が閉路されると、電磁接触機１の操作コイル１Ｌに通電されて付勢され、主接点１Ｒ、１Ｓ、１Ｔが閉じて三相誘導電動機３が通電状態になり、三相誘導電動機３の運転が開始される。これと逆に開閉装置４が開路されると、電磁接触装置１の操作コイル１Ｌの通電が断たれ、主接点１Ｒ、１Ｓ、１Ｔが開いて三相誘導電動機３の通電が断たれ、三相誘導電動機３の運転が停止される。
【００５０】
ここで、開閉装置４が閉路中で、何等かの理由により三相誘導電動機３が始動出来ずに電源ラインＲ、Ｓ、Ｔに大きな拘束電流が流れ続けると、一対の過負荷保護装置２Ｒ、２Ｔのバイメタル２Ｂが発熱される。この発熱によって設定されたバイメタル２Ｂの反転動作温度に達すると、動作温度の低い方の過負荷保護装置２Ｒまたは２Ｔの可動接点２Ｃが開路動作する。
【００５１】
この開路動作により三相誘導電動機３の一つの電源ラインＲまたはＴが遮断されると共に、電磁接触装置１の操作コイル１Ｌの通電も遮断される。この操作コイル１Ｌの遮断から若干遅れて主接点１Ｒ、１Ｓ、１Ｔが開路動作し（この遅れ動作現象を電磁接触装置１の復帰時間と言う）、三相誘導電動機３の残りの電源ラインが遮断される。これによって、三相誘導電動機３は完全に電源ラインＲ、Ｓ、Ｔから切り離される。
【００５２】
動作した過負荷保護装置２Ｒまたは２Ｔのバイメタル２Ｂが周囲の空気で冷却され、設定されたバイメタル２Ｂの反転復帰温度に達すると、再び可動接点２Ｃが閉路動作して、電磁接触装置１の操作コイル１Ｌに通電される。この操作コイル１Ｌへの通電より若干遅れて主接点１Ｒ、１Ｓ、１Ｔが閉路動作し、三相誘導電動機３が再び通電される。
【００５３】
この時、三相誘導電動機３の拘束原因が排除されていれば三相誘導電動機３は正常に始動し運転する。しかしながら、拘束原因が排除されることなく継続している場合には、前述同様の拘束電流により過負荷保護装置２Ｒまたは２Ｔのいずれか一方が開路動作及び閉路動作を繰り返す。この繰り返し動作による拘束電流の通電では、電動機巻線３Ｒ、３Ｓ、３Ｔが温度上昇で過熱焼損しないように設定されている。
【００５４】
次に、三相誘導電動機３が三相電源で正常に運転中にそのうち一相が欠相した場合の保護動作について図９から図１２を参照しながら説明する。
【００５５】
三相電源ラインＲ、Ｓ、Ｔは、配電盤内のヒューズ動作やコード接続取付部のネジの弛み等で一つの電源ラインが欠相することがある。Ｒ相が途中欠相した場合について図９及び図１０を参照しながら説明する。
【００５６】
Ｒ相が図９の×印で示すように途中欠相しても、Ｓ相−コンデンサ５Ｃ−継電器コイル５Ｌ−過負荷保護装置２Ｔ−Ｔ相の回路に通電されて継電器コイル５Ｌによる接点５Ａの閉路動作が継続される。これによって、継電器コイル５Ｌには、図１０（ａ）に示す２π／３ラジアン位相がずれた電圧ＶＴ、ＶＳが印加され、図１０（ｂ）に示す合成電流ＩＬＣが流れる。電源電圧が定格に近い範囲では、この合成電流ＩＬＣで電磁継電器５Ｙの接点５Ａの閉路が保持される。従って、Ｓ相−接点１Ｓ−電動機巻線３Ｓ−電動機巻線３Ｒ−接点１Ｒ−過負荷保護装置２Ｒ−開閉装置４−操作コイル１Ｌ−接点５Ａ−接点２１Ｓ−過負荷保護装置２Ｔ−Ｔ相の回路に通電されて操作コイル１Ｌによる主接点１Ｒ、１Ｓ、１Ｔの閉路動作が継続される。その結果、Ｓ相−接点１Ｓ−電動機巻線３Ｓ−電動機巻線３Ｔ−接点１Ｔ−過負荷保護装置２Ｔ−Ｔ相のように通電され、三相誘導電動機３はＳ−Ｔ単相通電で回転を継続する。
【００５７】
このように、三相誘導電動機３が途中欠相状態で単相通電されて運転が継続されていると、電密閉形電動圧縮機６は正常な三相運転と比べ過負荷状態になる。図３（ａ）に示す場合において、密閉形電動圧縮機６の外殻に取り付けられている一対の過負荷保護装置２Ｒ及び２Ｔは外殻の温度上昇と運転電流の増加の両者を感知して動作温度に達すると開路動作する。単相運転では、通常、三相正常運転時の電流の約１５％増しの電流がこの二相間に流れるからである。
【００５８】
上述した三相誘導電動機３のＳ−Ｔ単相通電の状態で、例えば過負荷保護装置２Ｔが図９の破線の如く開路動作すると、三相誘導電動機３の巻線３Ｔの電路が遮断されて三相誘導電動機３が停止すると同時に、逆転防止装置５の継電器コイル５Ｌと電磁接触装置１の操作コイル１Ｌの通電が遮断され、接点５Ａ及び主接点１Ｒ、１Ｓ、１Ｔが開路動作する。
【００５９】
その後、過負荷保護装置２Ｔが閉路動作すると、Ｓ相−コンデンサ５Ｃ−継電器コイル５Ｌ−過負荷保護装置２Ｔ−Ｔ相の回路に通電されて接点５Ａが閉路され、Ｓ相−コンデンサ５Ｃ−抵抗器５Ｒ−過負荷保護装置２Ｒ−開閉装置４−操作コイル１Ｌ−接点５Ａ−過負荷保護装置２Ｔ−Ｔ相の回路に通電されるが、この回路の夫々の分担電圧は抵抗器５Ｒがその大半を受け持つように設定してあるため、電磁接触装置１の操作コイル１Ｌは動作するに必要な電圧が得られず、電磁接触装置１の主接点１Ｒ、１Ｓ、１Ｔは開路状態が保持される。換言すれば、コンデンサ５Ｃ−抵抗器５Ｒ−操作コイル１Ｌの直列回路電流が流れるが、その電流が極めて小さく、電磁接触装置１の主接点１Ｒ、１Ｓ、１Ｔの閉路動作に必要な操作コイル１Ｌのアンペアターンが得られない。従って、三相誘導電動機３の停止が維持される。
【００６０】
一方、上述した三相誘導電動機３がＳ−Ｔ単相通電されている状態で、過負荷保護装置２Ｒが開路動作すると、三相誘導電動機３の巻線３Ｒの電路が遮断されて三相誘導電動機３が停止すると同時に、逆転防止装置５の継電器コイル５Ｌと電磁接触装置１の操作コイル１Ｌの通電が遮断され、接点５Ａ及び主接点１Ｒ、１Ｓ、１Ｔが開路動作する。
【００６１】
そして、その後に過負荷保護装置２Ｒが閉路動作した場合は、上述した過負荷保護装置２Ｔが閉路動作した場合と同様に動作し、接点５Ａ及び主接点１Ｒ、１Ｓ、１Ｔの開路状態が保持される。従って、三相誘導電動機３の停止状態が維持される。
【００６２】
このように、Ｒ相が途中欠相した場合には、三相誘導電動機３はまずＳ−Ｔ単相通電がなされて回転が継続され、過負荷保護装置２Ｔまたは過負荷保護装置２Ｒが一度開路動作することにより三相誘導電動機３への通電が断たれて回転が停止され、その後過負荷保護装置２Ｔまたは過負荷保護装置２Ｒが開閉動作しても三相誘導電動機３の停止状態が維持される。
【００６３】
Ｓ相が途中欠相した場合について図１１を参照しながら説明する。
【００６４】
Ｓ相が図１１の×印で示すように途中欠相しても、Ｒ相−過負荷保護装置２Ｒ−抵抗器５Ｒ−継電器コイル５Ｌ−過負荷保護装置２Ｔ−Ｔ相の回路に通電されて継電器コイル５Ｌによる接点５Ａの閉路動作が継続される。この回路は分担電圧の大半を抵抗器５Ｒが受け持つことにより継電器コイル５Ｌの分担電圧が小さく流れる電流が小さくなるが、接点５Ａの閉路状態を継続するだけであれば継電器コイル５Ｌの分担電圧が小さくても接点５Ａの閉路状態を継続することができる。これによって、Ｒ相−過負荷保護装置２Ｒ−開閉装置４−操作コイル１Ｌ−接点５Ａ−接点２１Ｓ−過負荷保護装置２Ｔ−Ｔ相の回路に通電されて操作コイル１Ｌによる主接点１Ｒ、１Ｓ、１Ｔの閉路動作が継続される。その結果、Ｒ相−過負荷保護装置２Ｒ−接点１Ｒ−電動機巻線３Ｒ−電動機巻線３Ｔ−接点１Ｔ−過負荷保護装置２Ｔ−Ｔ相の回路に通電される。三相誘導電動機３はＲ−Ｔ単相通電となるが、電動機巻線３Ｓと３Ｒに流れる電流で回転磁界が形成されているため、Ｒ−Ｔ単相通電であっても回転運動が継続される。
【００６５】
この三相誘導電動機３のＲ−Ｔ単相通電の状態で、例えば過負荷保護装置２Ｒが図１１の破線の如く開路動作すると、三相誘導電動機３の巻線３Ｒの電路が遮断されて三相誘導電動機３が停止すると同時に、逆転防止装置５の継電器コイル５Ｌと電磁接触装置１の操作コイル１Ｌの通電が遮断され、接点５Ａ及び主接点１Ｒ、１Ｓ、１Ｔが開路動作する。
【００６６】
その後、過負荷保護装置２Ｒが閉路動作すると、Ｒ相−過負荷保護装置２Ｒ−抵抗器５Ｒ−継電器コイル５Ｌ−過負荷保護装置２Ｔ−Ｔ相の回路に通電される。しかし、この回路の夫々の分担電圧は上述したように抵抗器５Ｒがその大半を受け持つように設定してあるため、継電器コイル５Ｌは接点５Ａを閉路動作させるに必要な電圧が得られず、接点５Ａは閉路されることなく開路したままとなる。換言すれば、接点５Ａを閉路させる継電器コイル５Ｌの動作電圧は閉路した接点５Ａの保持電圧よりはるかに大きいために、過負荷保護装置２Ｒの開路動作により継電器コイル５Ｌの通電が断たれて接点５Ａが開路すると、抵抗器５Ｒを介した継電器コイル５Ｌの回路では接点５Ａを閉路させる動作電圧が得られない。この接点５Ａの回路状態これによって、操作コイル１Ｌに通電されない状態が維持され、主接点１Ｒ、１Ｓ、１Ｔの開路状態が維持される。従って、三相誘導電動機３の停止状態が維持される。
【００６７】
一方、三相誘導電動機３がＲ−Ｔ単相通電されている状態で、過負荷保護装置２Ｔが開路動作すると、三相誘導電動機３の巻線３Ｔの電路が遮断されて三相誘導電動機３が停止すると同時に、逆転防止装置５の継電器コイル５Ｌと電磁接触装置１の操作コイル１Ｌの通電が遮断され、接点５Ａ及び主接点１Ｒ、１Ｓ、１Ｔが開路動作する。
【００６８】
そして、その後に過負荷保護装置２Ｔが閉路動作した場合は、上述した過負荷保護装置２Ｒが閉路動作した場合と同様に動作し、接点５Ａ及び主接点１Ｒ、１Ｓ、１Ｔの開路状態が維持される。従って、三相誘導電動機３の停止状態が維持される。
【００６９】
このように、Ｓ相が途中欠相した場合には、三相誘導電動機３はまずＲ−Ｔ単相通電がなされて回転が継続され、過負荷保護装置２Ｒまたは過負荷保護装置２Ｔが一度開路動作すると、三相誘導電動機３への通電が断たれて回転が停止され、その後過負荷保護装置２Ｒまたは過負荷保護装置２Ｔが開閉動作しても三相誘導電動機３の停止状態が維持される。
【００７０】
Ｔ相が途中欠相した場合について図１２を参照しながら説明する。
【００７１】
Ｔ相が図１２の×印で示すように途中欠相しても、Ｓ相−コンデンサ５Ｃ−継電器コイル５Ｌ−過負荷保護装置２Ｔ−接点１Ｔ−電動機巻線３Ｔ−電動機巻線３Ｒ−接点１Ｒ−過負荷保護装置２Ｒ−Ｒ相の回路に通電されて継電器コイル５Ｌによる接点５Ａの閉路動作が継続される。これによって、Ｒ相−過負荷保護装置２Ｒ−開閉装置４−操作コイル１Ｌ−接点５Ａ−接点２１Ｓ−過負荷保護装置２Ｔ−電動機巻線３Ｔ−電動機巻線３Ｓ−接点１Ｓ−Ｓ相の自己保持回路に通電されて操作コイル１Ｌによる主接点１Ｒ、１Ｓ、１Ｔの閉路状態が継続される。その結果、Ｒ相−過負荷保護装置２Ｒ−接点１Ｒ−電動機巻線３Ｒ−電動機巻線３Ｓ−接点１Ｓ−Ｓ相の回路に通電され、三相誘導電動機３はＲ−Ｓ単相通電で回転を継続する。
【００７２】
この状態で、例えば過負荷保護装置２Ｒが図１２の破線の如く開路動作すると、三相誘導電動機３の巻線３Ｒの電路が遮断されて三相誘導電動機３が停止すると同時に、逆転防止装置５の継電器コイル５Ｌと電磁接触装置１の操作コイル１Ｌの通電が遮断され、接点５Ａ及び主接点１Ｒ、１Ｓ、１Ｔが開路動作する。
【００７３】
その後、過負荷保護装置２Ｒが閉路動作すると、Ｒ相−過負荷保護装置２Ｒ−抵抗器５Ｒ−継電器コイル５Ｌ−過負荷保護装置２Ｔ−接点１Ｔ−電動機巻線３Ｔ−電動機巻線３Ｓ−接点１Ｓ−Ｓ相の回路に通電される。しかし、上述したように、この回路の夫々の分担電圧は抵抗器５Ｒがその大半を受け持つように設定してあるため、継電器コイル５Ｌは動作するに必要な電圧が得られず、接点５Ａは閉路されることなく開路されたままとなる。これによって、操作コイル１Ｌに通電されない状態が維持され、主接点１Ｒ、１Ｓ、１Ｔの開路状態が維持される。従って、三相誘導電動機３の停止状態が維持される。
【００７４】
一方、三相誘導電動機３がＲ−Ｓ単相通電されている状態で、過負荷保護装置２Ｔが開路動作すると、三相誘導電動機３の巻線３Ｔの電路が遮断されて三相誘導電動機３が停止すると同時に、逆転防止装置５の継電器コイル５Ｌと電磁接触装置１の操作コイル１Ｌの通電が遮断され、接点５Ａ及び主接点１Ｒ、１Ｓ、１Ｔが開路動作する。
【００７５】
そして、その後に過負荷保護装置２Ｔが閉路動作した場合は、上述した過負荷保護装置２Ｒが閉路動作した場合と同様に動作し、接点５Ａ及び主接点１Ｒ、１Ｓ、１Ｔの開路状態が維持される。従って、三相誘導電動機３の停止状態が維持される。
【００７６】
このように、Ｔ相が途中欠相した場合には、三相誘導電動機３はまずＲ−Ｓ単相通電がなされて回転が継続され、過負荷保護装置２Ｒまたは過負荷保護装置２Ｔが一度開路動作すると、三相誘導電動機３への通電が断たれて回転が停止され、その後過負荷保護装置２Ｒまたは過負荷保護装置２Ｔが開閉動作しても三相誘導電動機３の停止状態が維持される。
【００７７】
従って、本実施例によれば、いずれの相に欠相が生じても、三相誘導電動機３の単相拘束通電を１回限りとすることができると共に、過負荷保護装置２Ｒまたは２Ｔの寿命を損なうこともないので、高信頼性、高安全性の保護装置を提供することができる。
【００７８】
次に、三相誘導電動機３が三相電源で正常に運転中に冷凍サイクルの冷媒漏れ等が発生した場合の保護動作について図１を主に参照しながら説明する。
【００７９】
冷凍サイクルの冷媒が何らかの理由で漏れた状態で、密閉形電動圧縮機６が運転され続けると、密閉形電動圧縮機６の外殻の温度が上昇するが、電源電流は減少する。この様な状態で、密閉形電動圧縮機６の外殻に取り付けた過負荷保護装置２Ｔのサーモスイッチ部２１が所定の定められた反転動作温度になると開路動作する。この開路動作により、電磁接触装置１の操作コイル１Ｌの通電が断たれ、主接点１Ｒ、１Ｓ、１Ｔが開き、三相誘導電動機３は通電が断たれ停止する。
【００８０】
その後、サーモスイッチ部２１が所定の定められた反転復帰温度になると閉路動作して電磁接触装置１の操作コイル１Ｌに通電し、主接点１Ｒ、１Ｓ、１Ｔが閉路動作して三相誘導電動機３は再び通電され始動し運転する。
【００８１】
この冷媒漏れが装置の冷媒不足として発見され処置されない限り、サーモスイッチ部２１がこの開路動作及び閉路動作を繰り返し、三相誘導電動機３が始動、運転、停止の繰り返し動作を行なう。
【００８２】
しかしながら、本実施例のサーモスイッチ部２１は、密閉形電動圧縮機６の過負荷運転を保証する外殻温度の上限を超える値以上に反転動作温度が設定できると共に、密閉形電動圧縮機６の運転を保証する周囲温度の上限を超えた値以上に反転復帰温度が設定でき、換言すれば、プロテクタ部２０の反転動作温度及び反転復帰温度等の動作特性に無関係にその値が設定出来るので、冷媒漏れ発生時の三相誘導電動機３の運転時間と停止時間を比較的自由にコントロールすることが出来る。従って、運転時間を短くし停止時間を長くすることで、冷媒漏れによる冷力不足と、運転時間不足による冷力不足の両者からこの冷媒漏れを早期に発見することが出来る。
【００８３】
その結果、冷媒漏れ時の三相誘導電動機３の電動機巻線３Ｒ、３Ｓ、３Ｔの温度上昇による絶縁劣化を防止することが可能になり、冷媒漏れ部を修理し冷媒を再封入して再使用した時の絶縁劣化や密閉形電動圧縮機６の摺動部の磨耗損傷等による寿命低下を防止出来る事から、密閉形電動圧縮機６の長寿命化にも寄与出来るものである。
【００８４】
以上説明した本実施例によれば、過負荷保護装置２Ｔのプロテクタ部２０が密閉形電動圧縮機６の電源電流と温度を検出して動作すると共に、そのサーモスイッチ部２１が密閉形電動圧縮機６の温度を検出して動作する。このことは、三相誘導電動機６の過負荷運転や拘束通電が発生した時にはプロテクタ部２０を、冷凍サイクルの冷媒漏れや送風装置のファンロック不良等が発生した時にはサーモスイッチ部２１を、夫々互いに無関係に独立して動作させることが出来る。
【００８５】
プロテクタ部６の動作では、三相誘導電動機の１回路遮断と、電磁接触装置１あるいは逆転防止装置５の開路動作による電磁接触装置１の主接点開路動作から三相誘導電動機６の残りの回路遮断とが出来る。
【００８６】
又、サーモスイッチ部２１の動作では、電磁接触装置１の主接点開路動作による三相誘導電動機６の全回路遮断が出来る。
【００８７】
更に、いずれの相に途中欠相が発生しても、逆転防止装置５と電磁接触装置１の動作特性を活用して過負荷保護装置２Ｒ、２Ｔのプロテクタ部２０が開路動作し、しかる後に閉路動作しても三相誘導電動機６に再通電される事がない。即ち、これは単相拘束通電による三相誘導電動機６の温度上昇ダメージはもちろんのこと、過負荷保護装置２Ｒ、２Ｔのプロテクタ部２０の寿命劣化も防止することができるので、長期間の使用が可能になる。
【００８８】
又、密閉形電動圧縮機６の外殻に一対の過負荷保護装置２Ｒ、２Ｔを取り付ける場合でも、一方が密閉形電動圧縮機６の外殻に取り付けられ、他方が電気品室等に取り付けられる場合でも、密閉形電動圧縮機６の外殻に取り付けられるものの一つにサーモスイッチ部２１を備えていればよく、片方はサーモスイッチ部２１を備えない安価な過負荷保護装置が使用出来る。尚、サーモスイッチ部２１は三相拘束、単相拘束、過負荷、冷媒漏れ、ファンロック等の発生時に、密閉形電動圧縮機６の外殻温度が上昇しさえすれば全ての現象を保護し得るものであることは言うまでもない。
【００８９】
更に、過負荷保護装置２Ｔにおけるプロテクタ部２０とサーモスイッチ部２１の反転動作温度と反転復帰温度は夫々が独立した動作をすると共に、いずれか一方が動作すれば保護すべき対象物の保護すべき現象を的確にとらえることが出来ると共に、一方の保護に何等かのトラブルが発生しても他方である程度の保護が出来るので、信頼性をより高いものとすることができる。しかも、過負荷保護装置２Ｔにおけるプロテクタ部２０とサーモスイッチ部２１の反転動作温度と反転復帰温度は、ほぼ互いに無関係に設定出来ることから保護特性を大幅に向上させることが出来る。
【００９０】
しかも、電源の異常低電圧等のプロテクタ部２０が動作せず温度のみ上昇するような場合でも、サーモスイッチ部２１の動作により保護出来る等その保護守備範囲が拡大し、信頼性の高い密閉形電動圧縮機６を備えた装置が安価に提供出来るものである。
【００９１】
次に、本発明の第２実施例を図１３を用いて説明する。この第２実施例は、次に述べる通り第１実施例と相違するものであり、その他の点については第２実施例と基本的には同一である。
【００９２】
この第５実施例は、過負荷保護装置２Ｔのプロテクタ部２０における固定接点２Ｄと外部接続端子２Ｍとの間にヒータを構成する抵抗器２Ｈを接続したものである。この抵抗器２Ｈは、電源ラインＴの電源電流が流れてバイメタル２Ｂを加熱するように設けられている。これによって、電源電流の検出精度を高めることができる。
【００９３】
【発明の効果】
以上の説明から明らかなように本発明によれば、逆転防止機能を有しつつ、いずれの電源ラインに欠相が生じても単相拘束通電による運転を１回限りとすることができると共に、冷媒漏れ等に対して保護することができ、高信頼性、高安全性の保護装置を得ることができる。
【図面の簡単な説明】
【図１】本発明の第１実施例における密閉形電動圧縮機の保護装置の回路図である。
【図２】本発明の第１実施例を適用した冷凍装置の構成図である。
【図３】図２の冷凍装置に用いる密閉形電動圧縮機における過負荷保護装置の据付例を示す図である。
【図４】図１に用いる過負荷保護装置の平面図である。
【図５】図４のＡ−Ａ断面図である。
【図６】図５のＢ−Ｂ断面図である。
【図７】図１の逆転防止防止装置の原理説明図である。
【図８】図１の逆転防止防止装置の原理説明図である。
【図９】図１のＲ相欠相時の回路図である。
【図１０】図６のＲ相欠相時の逆転防止装置の動作原理説明図である。
【図１１】図１のＳ相欠相時の回路図である。
【図１２】図１のＴ相欠相時の回路図である。
【図１３】本発明の第２実施例における密閉形電動圧縮機の保護装置の回路図である。
【図１４】従来技術１における密閉形電動圧縮機の保護装置の回路図である。
【図１５】従来技術２における密閉形電動圧縮機の保護装置の回路図である。
【符号の説明】
１…電磁接触装置、１Ｌ…操作コイル、１Ｒ、１Ｓ、１Ｔ…接点、２Ｂ…バイメタル、２Ｃ…可動接点、２Ｆ…筒状ケース、２Ｈ…ヒータ、２Ｎ…中性点端子、２Ｒ、２Ｔ…過負荷保護装置、３…三相誘導電動機、３Ｒ、３Ｓ、３Ｔ…電動機巻線、４…開閉装置、５…逆転防止装置、５Ａ…接点、５Ｃ…コンデンサ、５Ｌ…継電器コイル、５Ｒ…抵抗器、５Ｙ…電磁継電器、６…密閉形電動圧縮機、７…電装品カバー、８…凝縮器、９…蒸発器、１０…膨張機構、１１…送風装置、１２…単相誘導電動機、１３、１４…ファン、１５…電磁弁、１５Ｌ…電磁弁コイル、２０…プロテクタ部、２１…サーモスイッチ部、２１Ｓ…サーモ接点。
【図１】
2004032846.tif 000003
【図２】
2004032846.tif 000004
【図３】
2004032846.tif 000005
【図４】
2004032846.tif 000006
【図５】
2004032846.tif 000007
【図６】
2004032846.tif 000008
【図７】
2004032846.tif 000009
【図８】
2004032846.tif 000010
【図９】
2004032846.tif 000011
【図１０】
2004032846.tif 000012
【図１１】
2004032846.tif 000013
【図１２】
2004032846.tif 000014
【図１３】
2004032846.tif 000015
【図１４】
2004032846.tif 000016
【図１５】
2004032846.tif 000017